(57)【要約】【課題】エアキャリブレーションにおいて撮影条件等に起因する誤差を軽減することを可能とするＸ線ＣＴ装置を提供する。【解決手段】画像処理部７は、補正前プロファイル３５に基づいて、被検者及び寝台を通過していないＸ線を検出した非通過チャンネル４３を選定し（ステップ１０２）、非通過チャンネル４３の吸収線量計測値に基づいて、一部のチャンネルあるいは全チャンネル４５における補正量算出式を導出し（ステップ１０３）、一部のチャンネルあるいは全チャンネル４５における補正量を算出し（ステップ１０４）、補正量に基づき補正前プロファイル３５を補正し、補正後プロファイル３７を作成し（ステップ１０５）、各ビューの補正後プロファイル３７に基づいて補正後投影データ３９を作成し（ステップ１０６）、補正後投影データ３９に基づいて、表示部９に被検体１５の断層像４１を表示する（ステップ１０７）。【選択図】図４
2007117425.tif 000002
【特許請求の範囲】
【請求項１】
被検体に対して周回してＸ線を照射するＸ線源と、周回方向に配置される複数のチャンネルにより前記Ｘ線を検出するＸ線検出器と、前記Ｘ線検出器におけるＸ線の検出量から前記被検体内部のＸ線吸収分布を示す投影データを作成する投影データ作成手段と、前記投影データから画像を再構成する画像再構成手段と、前記再構成した画像を表示する表示手段と、を具備するＸ線ＣＴ装置であって、
前記Ｘ線検出器により検出されたＸ線が所定の対象物を通過したＸ線であるか否かを判定する通過判定手段と、
前記通過判定手段により通過無しと判定されたＸ線を検出したチャンネルの吸収線量計測値の少なくとも一部に基づいて、前記投影データを補正する補正手段と、
を具備することを特徴とするＸ線ＣＴ装置。
【請求項２】
前記通過判定手段は、前記複数のチャンネルにおける吸収線量計測値と所定の閾値とを比較することにより前記所定の対象物を通過したか否かの判定を行うことを特徴とする請求項１に記載のＸ線ＣＴ装置。
【請求項３】
前記通過判定手段は、前記複数のチャンネルにおける吸収線量計測値の変化率に基づいて前記所定の対象物を通過したか否かの判定を行うことを特徴とする請求項１または請求項２に記載のＸ線ＣＴ装置。
【請求項４】
前記補正手段は、前記通過判定手段により通過無しと判定されたＸ線を検出したチャンネルと、補正対象ビューにおける当該チャンネルの前記吸収線量計測値または複数のビューに渡る当該チャンネルの前記吸収線量計測値の平均値と、の間の傾向を全て又は一部のチャンネルに拡張して前記投影データを補正することを特徴とする請求項１から請求項３までのいずれかに記載のＸ線ＣＴ装置。
【請求項５】
前記補正手段は、前記通過判定手段により通過無しと判定されたＸ線を検出した複数のチャンネルに対応する複数の標本点から新たな標本点を作成し、前記新たな標本点の傾向を、全て又は一部のチャンネルに拡張して前記投影データを補正することを特徴とする請求項１から請求項４までのいずれかに記載のＸ線ＣＴ装置。
【発明の詳細な説明】
【技術分野】
【０００１】
本発明は、Ｘ線を利用して被検体の断層像を出力するＸ線ＣＴ装置に関する。詳細には、投影データ及び再構成画像の補正処理を行うＸ線ＣＴ装置に関する。
【背景技術】
【０００２】
一般にＸ線ＣＴ装置では、Ｘ線検出器の特性等のばらつきによって再構成画像にリング状アーチファクト等が発生する。
そこで、これらのアーチファクトを低減する方法の１つとしてエアキャリブレーションという補正方法がある（例えば、［特許文献１］参照。）。エアキャリブレーションでは、Ｘ線ＣＴ装置において被検体の撮影時に測定されたＸ線吸収量から、被検体や寝台が存在しない状態で測定されたＸ線量を投影データ上で差し引くことにより、被検体や寝台のＸ線吸収線量を求めて補正処理が行われる。
【０００３】
【特許文献１】特開平５−１５４１４２号公報
【発明の開示】
【発明が解決しようとする課題】
【０００４】
しかしながら、理想的にはエアキャリブレーションを行うことで被検体や寝台のＸ線吸収線量を正確に測定できるはずであるが、実際の撮影においてはコリメーションの状態の相違や被検体及び寝台の存在による散乱線の発生等の要因により、左右のレベルの違いや周辺部と中心部とのレベルの相違等の誤差が生じる傾向があるという問題点がある。すなわち、再構成画像において空気部分が不均一になったりＣＴ値が正確に再現されない等の影響が生じる可能性があるという問題点がある。
【０００５】
本発明は、以上の問題点に鑑みてなされたものであり、エアキャリブレーションにおいて撮影条件等に起因する誤差を軽減することを可能とするＸ線ＣＴ装置を提供することを目的とする。
【課題を解決するための手段】
【０００６】
前述した目的を達成するために本発明は、被検体に対して周回してＸ線を照射するＸ線源と、周回方向に配置される複数のチャンネルにより前記Ｘ線を検出するＸ線検出器と、前記Ｘ線検出器におけるＸ線の検出量から前記被検体内部のＸ線吸収分布を示す投影データを作成する投影データ作成手段と、前記投影データから画像を再構成する画像再構成手段と、前記再構成した画像を表示する表示手段と、を具備するＸ線ＣＴ装置であって、前記Ｘ線検出器により検出されたＸ線が所定の対象物を通過したＸ線であるか否かを判定する通過判定手段と、前記通過判定手段により通過無しと判定されたＸ線を検出したチャンネルの吸収線量計測値の少なくとも一部に基づいて、前記投影データを補正する補正手段と、を具備することを特徴とするＸ線ＣＴ装置である。
【０００７】
本発明のＸ線ＣＴ装置は、Ｘ線検出器により検出されたＸ線が被検者や寝台等の所定の対象物を通過したＸ線であるか否かを判定し、通過無しと判定されたＸ線を検出したチャンネルの吸収線量計測値の少なくとも一部に基づいて、投影データを補正する。
【０００８】
これにより、エアキャリブレーションにおいて、被検体及び寝台の存在しない状態で吸収線量を計測した時と実際の撮影時との撮影条件の差異等に起因する誤差の補正を行うことにより、被検体のより正確な吸収線量を求めてより良好な再構成結果を得ることができる。
【０００９】
また、前記通過判定手段は、前記複数のチャンネルにおける吸収線量計測値と所定の閾値とを比較することにより前記所定の対象物を通過したか否かの判定を行うことが望ましい。
これにより、簡素化された処理により通過判定を行うことができるので、処理負担を軽減することができる。
【００１０】
また、前記通過判定手段は、前記複数のチャンネルにおける吸収線量計測値の変化率に基づいて前記所定の対象物を通過したか否かの判定を行うことが望ましい。
これにより、所定の閾値との比較のみの場合と比較して、厳密に通過判定を行うことができる。
【００１１】
また、前記補正手段は、前記通過判定手段により通過無しと判定されたＸ線を検出したチャンネルと、補正対象ビューにおける当該チャンネルの前記吸収線量計測値または複数のビューに渡る当該チャンネルの前記吸収線量計測値の平均値と、の間の傾向を全て又は一部のチャンネルに拡張して前記投影データを補正することが望ましい。
これにより、所定の対象物を通過しなかったＸ線を検出したチャンネルの割合を増やすことができる。
【００１２】
また、前記補正手段は、前記通過判定手段により通過無しと判定されたＸ線を検出した複数のチャンネルに対応する複数の標本点から新たな標本点を作成し、前記新たな標本点の傾向を、全て又は一部のチャンネルに拡張して前記投影データを補正することが望ましい。
これにより、各チャンネルにおけるノイズの影響を軽減することができる。
【発明の効果】
【００１３】
本発明によれば、エアキャリブレーションにおいて撮影条件等に起因する誤差を軽減することを可能とするＸ線ＣＴ装置を提供することができる。
すなわち、投影データ（ＲＡＷデータ）に対し、撮影によって実際に得られたデータを、エアキャリブレーションを用いた補正によって理論的に期待される結果に近づける補正を加えることにより、被検体の吸収線量をさらに正確に調整することができ、良好な再構成結果を得ることができる。
【発明を実施するための最良の形態】
【００１４】
以下添付図面を参照しながら、本発明に係るＸ線ＣＴ装置の好適な実施形態について詳細に説明する。尚、以下の説明及び添付図面において、略同一の機能構成を有する構成要素については、同一の符号を付することにより重複説明を省略することにする。
【００１５】
（１．Ｘ線ＣＴ装置１の構成）
最初に、図１を参照しながら、本発明の実施の形態に係るＸ線ＣＴ装置１の構成について説明する。
図１は、Ｘ線ＣＴ装置１の構成図である。
Ｘ線ＣＴ装置１は、スキャナ部３、スキャナ制御部５、画像処理部７、表示部９等から構成される。
Ｘ線ＣＴ装置１は、スキャナ部３により被検体１５の投影データを取得し、画像処理部７により投影データを再構成し、表示部９に断層像を表示する。
【００１６】
スキャナ部３は、Ｘ線発生器１１、Ｘ線検出器１３、寝台１７を備える。Ｘ線発生器１１は、Ｘ線を照射するＸ線源である。Ｘ線検出器１３は、被検体１５を透過するＸ線を検出する装置である。Ｘ線発生器１１とＸ線検出器１３とは被検体１５を挟んで対向する位置に設けられる。
スキャナ制御部５は、スキャナ部３の制御を行う。スキャナ制御部５は、Ｘ線制御手段１９及び位置制御手段２１を備える。Ｘ線制御手段１９は、Ｘ線発生器１１からのＸ線照射量やＸ線照射範囲等を制御する。位置制御手段２１は、スキャナ部３のガントリの回転や寝台１７の移動を行い、被検体１５に対するＸ線照射位置を制御する。
【００１７】
画像処理部７は、コンピュータ等の演算処理装置である。画像処理部７は、再構成手段２３、補正手段２５、保存手段２７、一時格納手段２９、入力手段３１を備える。画像処理部７は、再構成手段２３により投影データの再構成を行って断層像を保存手段２７に格納する。また、画像処理部７は、補正手段２５によりエアキャリブレーションにおける誤差を補正する。保存手段２７は、ハードディスク等の記憶装置である。一時格納手段２９は、一時的にプログラム、データ等を記憶する装置であり、例えば、ＲＡＭ（Ｒａｎｄｏｍ  Ａｃｃｅｓｓ  Ｍｅｍｏｒｙ）等のメモリである。入力手段３１は、操作指示やデータ入力を行う装置であり、例えば、キーボードやマウスである。また、画像処理部７は、ＣＰＵ（Ｃｅｎｔｒａｌ  Ｐｒｏｃｅｓｓｉｎｇ  Ｕｎｉｔ）等の演算装置を備える。
画像表示部９は、ディスプレイ等の表示装置である。
【００１８】
（２．Ｘ線ＣＴ装置１における処理の流れ）
次に、図２及び図３を参照しながら、画像処理部７による補正処理の流れを説明する。
図２は、スキャナ部３によるＸ線照射線量の分布曲線３２を示す図である。
図３は、画像処理部７による補正処理の流れを示す図である。
【００１９】
理想的な撮影状態では被検体１５及び寝台１７を通過しなかったＸ線を検出したチャンネルの吸収線量計測値は「０」である。
そして、被検体１５及び寝台１７を通過しなかったＸ線を検出したチャンネルについては、実際の撮影状態における吸収線量計測値と理想的な撮影状態における吸収線量計測値（「０」）との差を差し引くことにより補正処理が行われる。
一方、被検体１５又は寝台１７を通過したＸ線を検出したチャンネルについては、実際の撮影状態における吸収線量計測値と理想的な撮影状態における吸収線量計測値との差は不明である。
【００２０】
エアキャリブレーションにおける誤差の要因としては、コリメーションや放射線混入等が挙げられる。
コリメーションについては、照射範囲が左右で少しでも異なればＸ線検出器１３が検出する吸収線量に関して、左側が強くなる、あるいは、右側が強くなる、等の影響が出る。
図２の照射Ｘ線の分布曲線３２に示すように、一般にＸ線ＣＴ装置１の照射線量の分布に関しては、左右対称であり被検体１５が位置することの多い中央付近が強めになるように調整される。しかしながら、散乱線のように全体に一様な放射線が混入することにより、エアキャリブレーション結果が周辺部と中央部とでずれることがある。
【００２１】
従って、上記の要因に起因するエアキャリブレーションにおける誤差は、左右のレベル差や中央部と周辺部との間のレベル差等として顕在化する。そこで、Ｘ線ＣＴ装置１は、エアキャリブレーションにおける誤差の傾向と当該誤差の補正量の傾向とが類似するものとして近似を行い、当該誤差の補正量を算出する。Ｘ線ＣＴ装置１は、特に、Ｘ線を検出したチャンネルのようにエアキャリブレーションにおける誤差の補正量が不明な部分に関して、上記の近似を行って誤差の補正量を算出する。
【００２２】
画像処理部７は、スキャナ部３により計測された計測データに基づいて被検体１５の内部のＸ線吸収分布を計算し、補正前投影データ３３を作成する。
画像処理部７は、各ビュー毎に、補正前投影データ３３から補正前プロファイル３５を取り出す。画像処理部７は、被検体１５及び寝台１７を通過しなかったＸ線を検出したチャンネルに着目して、補正前プロファイル３５を補正後プロファイル３７に補正する。画像処理部７は、全てのビューについて補正前プロファイル３５を補正後プロファイル３７に補正して補正後投影データ３９を作成する。
画像処理部７は、補正後投影データ３９に基づいて被検体１５の断層像４１を表示部９に表示する。
尚、補正前プロファイル３５及び補正後プロファイル３７は、それぞれ、補正前及び補正後の所定のビューにおけるＸ線吸収線量とチャンネル番号との関係を示すグラフである。
【００２３】
（３．画像処理部７における補正処理）
次に、図４〜図１０を参照しながら、画像処理部７における補正処理について詳細に説明する。
図４は、画像処理部７の動作を示すフローチャートである。
図５は、非通過チャンネル４３と通過チャンネル４４との関係図である。
非通過チャンネル４３は、被検体１５及び寝台１７を通過しなかったＸ線を検出したＸ線検出器１３のチャンネルである。通過チャンネル４４は、被検体１５又は寝台１７を通過したＸ線を検出したＸ線検出器１３のチャンネルである。
【００２４】
Ｘ線ＣＴ装置１の画像処理部７は、補正前投影データ３３から各ビュー毎に補正前プロファイル３５を抽出する（ステップ１０１）。
画像処理部７は、補正前プロファイル３５に基づいて、非通過チャンネル４３を選定する（ステップ１０２）。
画像処理部７は、ステップ１０２の処理により選定した非通過チャンネル４３の吸収線量計測値に基づいて、一部のチャンネル（例えば、通過チャンネル４４）あるいは全チャンネル４５における補正量算出式を導出する（ステップ１０３）。
画像処理部７は、ステップ１０３の処理により導出した補正量算出式により一部のチャンネルあるいは全チャンネル４５における補正量を算出する（ステップ１０４）。
画像処理部７は、ステップ１０４の処理により算出した補正量に基づき補正前プロファイル３５を補正し、補正後プロファイル３７を作成する（ステップ１０５）。
画像処理部７は、各ビューの補正後プロファイル３７に基づいて補正後投影データ３９を作成する（ステップ１０６）。
画像処理部７は、補正後投影データ３９に基づいて、表示部９に被検体１５の断層像４１を表示する（ステップ１０７）。
【００２５】
（３−１．非通過チャンネル４３の選定処理）
図６及び図７を用いて、画像処理部７における非通過チャンネル４３の選定処理（図４のステップ１０２）について説明する。
【００２６】
（３−１−１．閾値を用いた処理）
図６は、閾値４７を用いたＸ線通過判定処理及び非通過チャンネル４３の選定処理の説明図である。
通過チャンネル４４の吸収線量計測値は、非通過チャンネル４３の吸収線量計測値と比較して大きくなる。
Ｘ線ＣＴ装置１の画像処理部７は、補正前プロファイル３５に対して閾値４７（「Ａ」）を設定する。画像処理部７は、吸収線量が閾値４７より大きい補正前プロファイル３５の部分については、通過チャンネル４４の吸収線量計測値であると判定する。一方、画像処理部７は、吸収線量が閾値４７より小さい補正前プロファイル３５の部分については、非通過チャンネル４３の吸収線量計測値であると判定する。
すなわち、画像処理部７は、チャンネル番号４９−１及びチャンネル番号４９−２を非通過チャンネル４３のチャンネル番号であると判定する。
【００２７】
このように、図６に示す閾値４７と吸収線量計測値との比較によるＸ線通過判定処理では、簡素な処理により通過判定を行うので、画像処理部７の処理負担を軽減して迅速に非通過チャンネル４３の選定を行うことができる。
【００２８】
（３−１−２．傾き（吸収線量計測値の変化率）を用いた処理）
図７は、直線５７の傾き（吸収線量計測値の変化率）を用いた非通過チャンネル４３の選定処理の説明図である。
図６に示す通過判定処理では、チャンネル番号４９−１及びチャンネル番号４９−２は、実際には被検体１５又は寝台１７の辺縁部を通過したＸ線を検出したチャンネル番号５１−１及びチャンネル番号５１−２を含む。そこで、画像処理部７は、厳密に被検体１５又は寝台１７を通過したＸ線を検出したチャンネルを除外する必要がある場合には、さらに、図７に示す処理を行う。
【００２９】
画像処理部７は、補正前プロファイル３５と閾値４７との交点５９−１及び交点５９−２のチャンネル番号をそれぞれ「ｓ」及び「ｔ」とする。
被検体１５又は寝台１７と空気との境目に位置するチャンネルに関しては、補正前プロファイル３５の傾きが大きくなる。画像処理部７は、これらのチャンネルを非通過チャンネル４３から除外するために、チャンネル番号「ｓ」及びチャンネル番号「ｔ」付近であって補正前プロファイル３５の傾きの絶対値が大きい部分のチャンネル番号をチャンネル番号４９−１及びチャンネル番号４９−２から除外する。
【００３０】
画像処理部７は、閾値４７の他に定数５５（「Ｂ」）を設定する。画像処理部７は、チャンネル番号が「ｓ」及び「ｔ」であり吸収線量が定数５５である点６１−１及び点６１−２を算出する。画像処理部７は、点６１−１を通る直線５７−１の傾き「Ｃ」を設定し、点６１−２を通る直線５７−２の傾き「−Ｃ」を設定する。
画像処理部７は、直線５７−１の上側に位置する補正前プロファイル３５上の点であってチャンネル番号が「ｓ」より小さいチャンネル番号の中で最大となる点６３−１を算出し、この点６３−１のチャンネル番号を「ｃｈ−ｌｅｆｔ」とする。
画像処理部７は、直線５７−２の上側に位置する補正前プロファイル３５上の点であってチャンネル番号が「ｔ」より大きいチャンネル番号の中で最小となる点６３−２を算出し、この点６３−２のチャンネル番号を「ｃｈ−ｒｉｇｈｔ」とする。
【００３１】
尚、「ｃｈ−ｌｅｆｔ」及び「ｃｈ−ｒｉｇｈｔ」は、［数式１］及び［数式２］のように表される。
ｃｈ−ｌｅｆｔ＝ＭＡＸ（ｎ｜（ｄ１≦Ｃ）かつ（ｎ≦ｓ））…［数式１］
ｃｈ−ｒｉｇｈｔ＝ＭＩＮ（ｎ｜（ｄ２≦Ｃ）かつ（ｔ≦ｎ））…［数式２］
ここで、
ＭＡＸ（ｘ｜ｙ）：条件ｙを満たすｘの最大値、
ＭＩＮ（ｘ｜ｙ）：条件ｙを満たすｘの最小値、
ｎ：チャンネル番号、
ｐ（ｎ）：チャンネル番号「ｎ」におけるＸ線吸収線量、
ｄ１：直線５７−１の傾き、ｄ１＝（Ｂ−ｐ（ｎ））／（ｓ−ｎ））、
ｄ２：直線５７−２の傾き、ｄ２＝（Ｂ−ｐ（ｎ））／（ｎ−ｔ））、
である。
【００３２】
画像処理部７は、「ｃｈ−ｌｅｆｔ」以下のチャンネル番号６５−１と、「ｃｈ−ｒｉｇｈｔ」以上のチャンネル番号６５−２の全てを非通過チャンネル４３のチャンネル番号として選定する。
【００３３】
このように、図７に示す傾き（吸収線量計測値の変化率）を用いたＸ線通過判定処理では、図６に示した所定の閾値との比較のみの場合と比較して、厳密に通過判定及び非通過チャンネル４３の選定を行うことができる。
【００３４】
（３−２．補正量算出式の導出処理及び補正量算出処理）
図８〜図１１を用いて、画像処理部７における補正量算出式の導出処理及び補正量算出処理（図４のステップ１０３及びステップ１０４）について説明する。
【００３５】
図８は、被検体１５及び寝台１７の影響を受けていない吸収線量（ｑ）を示す図である。
画像処理部７は、補正前投影データ３３から補正量を求めるビュー６９の補正前プロファイル３５を抽出する。画像処理部７は、補正前プロファイル３５から通過チャンネル４４のチャンネル番号７３の部分を除外し、被検体１５及び寝台１７の影響を受けていない吸収線量（ｑ）を示すグラフ７１−１及びグラフ７１−２を作成する。
【００３６】
画像処理部７は、吸収線量（ｑ）が明らかである非通過チャンネル４３の一部あるいは全てを標本点とする。画像処理部７は、チャンネル番号（ｎ）及び吸収線量（ｑ）の情報を基に、チャンネル番号（ｎ）を引数とし当該引数が示すチャンネルが被検体１５及び寝台１７を通過しなかったＸ線を検出したときに計測する吸収線量の推定値を返却値とする多次関数を補正量算出式として導出する（図４のステップ１０３）。
【００３７】
尚、補正量算出式の導出に関しては、特に限定されないが、例えば、最小二乗法、ラグランジュ補間、エルミート補間、スプライン補間、線形補間を用いることができる。また、エアキャリブレーションの誤差は、左右のレベル差や中央部と周辺部とのレベル差となって現れるので、補正量算出式としての多次関数は、誤差に類似した二次程度の関数で十分近似し得る。
【００３８】
図９は、最小二乗法による補正量算出式の導出を示す図である。
画像処理部７は、被検体１５及び寝台１７の影響を受けていない吸収線量（ｑ）を示すグラフ７１−１及びグラフ７１−２の一部あるいは全てから、最小二乗法により一部あるいは全てのチャンネルにおける補正量を示すグラフ７５を導出する。
すなわち、画像処理部７は、被検体１５及び寝台１７を通過しなかったＸ線を検出したチャンネルの一部あるいは全てを標本点とし当該標本点に最小二乗法を用いて、補正量算出式としての多次関数の近似多項式を導出する（図４のステップ１０３）。画像処理部７は、この補正量算出式にチャンネル番号を代入して得られた値を各チャンネルの補正量として算出する（図４のステップ１０４）。
【００３９】
尚、画像処理部７は、通過チャンネル４４についてのみ補正量算出式により補正量を算出し、非通過チャンネル４３については吸収線量計測値をそのまま補正量として用いるようにしてもよい。
【００４０】
図１０は、ラグランジュ補間による補正量算出式の導出を示す図である。
画像処理部７は、最小二乗法による補正量算出式の導出に代えて、ラグランジュ補間やエルミート補間やスプライン補間や線形補間等による補正量算出式の導出を行うこともできる。
画像処理部７は、被検体１５及び寝台１７の影響を受けていない吸収線量（ｑ）を示すグラフ７１−１及びグラフ７１−２の一部あるいは全てから、ラグランジュ補間により一部あるいは全てのチャンネルにおける補正量を示すグラフ７７を導出する。
【００４１】
（４．新たな標本点の作成）
被検体１５あるいは寝台１７が撮影範囲をはみだすことによりチャンネル番号「ｃｈ−ｌｅｆｔ」やチャンネル番号「ｃｈ−ｒｉｇｈｔ」のチャンネルが存在しない場合やＸ線検出器１３の各チャンネルの配置ピッチや演算処理過程により標本点に該当するチャンネルが存在しない場合、所定の値を標本点を割り当てたり、線形補間により新たに標本点を作成するようにしてもよい。
画像処理部７は、例えば、標本点（ｃｈ−ｌｅｆｔ，ｑ）＝（１，０）、を割り当てたり、被検体１５あるいは寝台１７が撮影範囲をはみだしていない他のビューにおける吸収線量計測値から線形補間により新たに標本点を作成するようにしてもよい。
【００４２】
画像処理部７は、非通過チャンネル４３についての複数の標本点をまとめて１つの標本点として上記の補正量算出式を導出するようにしてもよい。この場合も線形補間を用いて標本点を作成することができる。
これにより、各チャンネルにおけるノイズの影響を軽減することができる。
【００４３】
（５．全ビュー一律の補正量の決定）
次に、図１１を参照しながら、全てのビューについて一律に補正量を決定する処理について説明する。
図１１は、被検体１５及び寝台１７の影響を受けていない吸収線量の平均値（ｍ）を示す図である。
【００４４】
画像処理部７は、補正量の決定をビュー毎に行うのではなく、全てのビューに対して一律に決定することもできる。
画像処理部７は、補正前投影データ３３から、標本点として用いるチャンネルの吸収線量として、全てのビューについて非通過チャンネル４３の吸収線量計測値を抽出する。画像処理部７は、各チャンネル毎に、全てのビューに渡る吸収線量計測値の平均値を補正量として算出してグラフ７９−１及びグラフ７９−２を作成する。
【００４５】
チャンネル番号８１は、全てのビューに渡って、被検体１５及び寝台１７を通過しなかったＸ線を一度も検出していないチャンネルのチャンネル番号である。チャンネル番号８１の範囲は、各ビュー毎に補正量を算出する場合における非通過チャンネル４３のチャンネル番号７３の範囲より小さくなる（図８及び図１１参照）。
【００４６】
尚、図９及び図１０等の場合と同様に、画像処理部７は、チャンネル番号８１の範囲についてグラフ７９−１及びグラフ７９−２を用いて補正量算出式を導出して補正量を算出することができる。
これにより、各ビューにおけるノイズの影響の軽減し、被検体１５及び寝台１７を通過しなかったＸ線を検出したチャンネルの割合を増やすことができる。
【００４７】
（６．効果）
以上説明したように、本発明の実施の形態によれば、Ｘ線ＣＴ装置１は、補正前投影データ３３に基づいて非通過チャンネル４３を選定し、当該非通過チャンネル４３の一部あるいは全ての吸収線量計測値に基づいて、一部あるいは全てのチャンネルについての補正量算出式を導出して補正量を算出し、補正後投影データ３９に基づいて被検体１５の断層像４１を表示する。
すなわち、Ｘ線ＣＴ装置１は、全てのチャンネルに対して補正量を決定し、各チャンネルが計測した吸収線量から補正量を差し引くことにより投影データの補正を行い断層像を表示する。
【００４８】
これにより、エアキャリブレーションにおいて、被検体及び寝台の存在しない状態で吸収線量を計測した時と実際の撮影時との撮影条件の差異等に起因する誤差の補正を行うことにより、被検体のより正確な吸収線量を求めてより良好な再構成結果を得ることができる。
具体的には、画像中の空気部分が不均一になったりＣＴ値が正確に再現されない等の不具合を是正することができる。また、吸収線量の左右のレベルの違い、周辺部と中央部とのレベルの違い等の誤差を軽減することができる。
また、実際の撮影時に取得した投影データを基にエアキャリブレーション補正量を算出するので、エアキャリブレーション補正量を算出するために被検体や寝台が存在しない状態で別途撮影を行うことなく補正処理を行うこともできる。
【００４９】
以上、添付図面を参照しながら、本発明に係るＸ線ＣＴ装置の好適な実施形態について説明したが、本発明はかかる例に限定されない。当業者であれば、本願で開示した技術的思想の範疇内において、各種の変更例または修正例に想到し得ることは明らかであり、それらについても当然に本発明の技術的範囲に属するものと了解される。
【図面の簡単な説明】
【００５０】
【図１】Ｘ線ＣＴ装置１の構成図
【図２】スキャナ部３によるＸ線照射線量の分布曲線３２を示す図
【図３】画像処理部７による補正処理の流れを示す図
【図４】画像処理部７の動作を示すフローチャート
【図５】非通過チャンネル４３と通過チャンネル４４との関係図
【図６】閾値４７を用いたＸ線通過判定処理及び非通過チャンネル４３の選定処理の説明図
【図７】直線５７の傾き（吸収線量計測値の変化率）を用いた非通過チャンネル４３の選定処理の説明図
【図８】被検体１５及び寝台１７の影響を受けていない吸収線量（ｑ）を示す図
【図９】最小二乗法による補正量算出式の導出を示す図
【図１０】ラグランジュ補間による補正量算出式の導出を示す図
【図１１】被検体１５及び寝台１７の影響を受けていない吸収線量の平均値（ｍ）を示す図
【符号の説明】
【００５１】
１………Ｘ線ＣＴ装置
３………スキャナ部
５………スキャナ制御部
７………画像処理部
９………表示部
１１………Ｘ線発生器
１３………Ｘ線検出器
１５………被検体
１７………寝台
１９………Ｘ線制御手段
２１………位置制御手段
２３………再構成手段
２５………補正手段
２７………保存手段
２９………一時格納手段
３１………入力手段
３３………補正前投影データ
３５………補正前プロファイル
３７………補正後プロファイル
３９………補正後投影データ
４１………断層像
４３………非通過チャンネル
４４………通過チャンネル
４５………全チャンネル
４７………閾値（「Ａ」）
５５………定数（「Ｂ」）
５７−１、５７−２………直線（傾き「Ｃ」、傾き「−Ｃ」）
【図１】
2007117425.tif 000003
【図２】
2007117425.tif 000004
【図３】
2007117425.tif 000005
【図４】
2007117425.tif 000006
【図５】
2007117425.tif 000007
【図６】
2007117425.tif 000008
【図７】
2007117425.tif 000009
【図８】
2007117425.tif 000010
【図９】
2007117425.tif 000011
【図１０】
2007117425.tif 000012
【図１１】
2007117425.tif 000013